(57)【要約】【課題】カッター刃の後部寸法誤差等に起因した不安定な保持を効果的に回避するとともにカッター刃を静止位置に安定して状態に保ち、カッター刃をケース外に突出させる際の移動をスムースに行えるようにすること。【解決手段】ケース内１２に収容されるとともに前端で出没可能に設けられたカッター刃１４と、このカッター刃１４を前後方向に移動可能とするスライダ１５とを備えたカッターナイフ１０において、スライダ１５は、カッター刃１４の後部側を保持する保持面部４６と、カッター刃１４の後部面内に形成された穴１４Ａ内に受容される突部４１と、カッター刃１４の後端縁１４Ｂに相対する当接部４５とを備え、カッター刃の後部側を保持面部４６に保持させたときに、当接部４５がカッター刃１４の後端縁１４Ｂによって後方に変位するように設けられている。【選択図】図２
2012228330.tif 000002
【特許請求の範囲】
【請求項１】
前後方向に延びる内側空間を備えたケースと、このケース内に収容されるとともに当該ケースの前端で出没可能に設けられたカッター刃と、このカッター刃を保持してケース内で前後方向に移動可能に設けられたスライダとを備えたカッターナイフにおいて、
前記スライダは、前記カッター刃の後部側を保持する保持面部と、カッター刃の後部面内に形成された穴内に受容される突部と、カッター刃の後端縁に相対する当接部とを備えて構成され、
前記突部を穴内に位置させてカッター刃の後部側を保持面部に保持させたときに、前記当接部がカッター刃の後端縁によって後方に変位するように設けられていることを特徴とするカッターナイフ。
【請求項２】
前記当接部は、前記保持面部の一部に切欠部を形成することにより略板ばね状に設けられていることを特徴とする請求項１記載のカッターナイフ。
【請求項３】
前記突部の中心を通る仮想鉛直線と当接部との距離は、前記穴の中心を通る仮想鉛直線と前記カッター刃の後端縁との距離よりも短く設けられていることを特徴とする請求項１又は２記載のカッターナイフ。
【請求項４】
前記カッター刃をスライダに保持させたときに、前記当接部が後方に弾性変位することを特徴とする請求項１、２又は３記載のカッターナイフ。
【発明の詳細な説明】
【技術分野】
【０００１】
本発明はカッターナイフに係り、更に詳しくは、カッター刃をスライドさせるスライダに対し、カッター刃を安定して保持させることのできるカッターナイフに関する。
【背景技術】
【０００２】
公知のカッターナイフは、前後方向に延びる略Ｃ字状のケースと、このケース内で前後方向移動可能に設けられたスライダと、当該スライダに後端側が保持されるカッター刃とを備えて構成されている。このタイプのカッターナイフは、スライダがケース側面側に位置しており、右手利きの人が利用する場合には、右手親指にて容易に操作することができるが、左手利きの人にとっては使い勝手が非常に悪いものとなる。
【０００３】
そこで、本出願人は、例えば、特許文献１に記載されているように、ケースの上端部に操作部材を配置して利き手に影響を与えない、いわゆるユニバーサルタイプのカッターナイフを提案した。このカッターナイフは、ケース内に位置するスライダ本体及び当該スライダ本体に前後方向移動可能に組み合わされる操作部材を含むスライダと、スライダ本体とケースとの間に設けられた板ばねをケース側に係脱可能に設けることで、スライダのロック及びロック解除を行うロック機構とを備え、前記板ばねと操作部材とを部分的に係り合わせることで当該操作部材がスライダ本体に対して初期位置に保たれる構成となっている。
【０００４】
しかしながら、特許文献１に記載されたカッターナイフにあっては、初期位置にある操作部材がスライダ本体に対して前後にフリーな状態となる、いわゆる「遊び」があり、操作力を付与したときに応答性や、操作力を解除したときの操作部材の初期位置復帰動作の円滑性を改善しながらロック機構の確実性を向上させる余地があることが判明した。
そこで、本出願人は、スライダ本体と操作部材とを前後方向に相対移動可能に組み合わせても、操作部材が常に初期位置を保持することができ、操作部材に操作力を付与したときに、応答性を良好に保ってスライダに操作力を伝達する一方、操作力を解除したときに、スライダ本体に対する操作部材の初期位置復帰を迅速に行うことのできるカッターナイフを提案した（特願２０１０−２１５３５７号）。
【先行技術文献】
【特許文献】
【０００５】
【特許文献１】特開２００８−２２９０７６号公報
【発明の概要】
【発明が解決しようとする課題】
【０００６】
特許文献１及び特願２０１０−２１５３５７号のカッターナイフは、図１６、１７に概略的に示すように、カッター刃１００の後端部領域１００Ａをスライダ本体１０１と押さえ部材１０２との間に挟み込んでカッター刃１００を保持する構成となっている。
【０００７】
ここで、スライダ本体１０１は、後端部領域１００Ａを保持する保持面部１０５と、この保持面部１０５の面内に設けられてカッター刃１００の後部面内に設けられた穴１０６内に受容される突部１０７と、カッター刃１００の傾斜後端縁１００Ｂに相対する傾斜隆起部１０８とを備えて構成されている。
【０００８】
図１７に示すように、前記突部１０７の中心Ｃ及び傾斜隆起部１０８間の水平方向距離Ｌ１と、中心Ｃ及び傾斜後端縁１００Ｂ間の水平方向距離Ｌ２が等しければ、カッター刃１００がスライダ本体１０に保持された状態で穴１０６を中心として回転する方向にぐらついてしまうような不都合は生じない。
【０００９】
ところが、カッター刃１００は、穴１０６と傾斜後端縁１００Ｂの前記距離Ｌ２の寸法精度にばらつきがあるのが実状となっている。従って、そのようなばらつきを予め見込み、前記距離Ｌ２が距離Ｌ１よりも常に小さい状態を維持することのできる条件を満たす位置に傾斜隆起部１０８を形成し、これにより、カッター刃１００の装着ができなくなるといった不都合を未然に防止していた。
【００１０】
しかしながら、このような設定により、カッター刃１００は突部１０７を中心として先端が矢印Ａ方向にぐらつきを生じることになり、カッター刃１００を図示しないケースの前端から突出させるときに、ケース内面に生ずる段差部分（例えば、図４中符合Ｋ参照）にカッター刃１００の先端コーナー部分がぶつかってスムースな突出動作を妨げてしまうという不都合が生じた。かかる不都合は、カッター刃１００の刃縁が上位となるようにカッターを手に持って、例えば、天井等に向けて切断作業を行う際に顕在的なものとなる。
【００１１】
［発明の目的］
本発明は、このような不都合に着目して案出されたものであり、その目的は、カッター刃の後部寸法誤差等に起因した不安定な保持を効果的に回避でき、カッター刃を静止位置に安定して状態に保ち、カッター刃をケース外に突出させる際の移動をスムースに行うことのできるカッターナイフを提供することにある。
【課題を解決するための手段】
【００１２】
前記目的を達成するため、本発明は、前後方向に延びる内側空間を備えたケースと、このケース内に収容されるとともに当該ケースの前端で出没可能に設けられたカッター刃と、このカッター刃を保持してケース内で前後方向に移動可能に設けられたスライダとを備えたカッターナイフにおいて、
前記スライダは、前記カッター刃の後部側を保持する保持面部と、カッター刃の後部面内に形成された穴内に受容される突部と、カッター刃の後端縁に相対する当接部とを備えて構成され、
前記突部を穴内に位置させてカッター刃の後部側を保持面部に保持させたときに、前記当接部がカッター刃の後端縁によって後方に変位するように設けられる、という構成を採っている。
【００１３】
本発明において、前記当接部は、前記保持面部の一部に切欠部を形成することにより略板ばね状に設けられる、という構成を採ることができる。
【００１４】
また、前記突部の中心を通る仮想鉛直線と当接部との距離は、前記穴の中心を通る仮想鉛直線と前記後端縁との距離よりも短く設けられている。
【００１５】
更に、前記カッター刃をスライダの所定位置に保持させたときに、前記当接部が後方に弾性変位するように設けられている。
【発明の効果】
【００１６】
本発明によれば、カッター刃を保持面部に保持させたときに、カッター刃の後端縁に押されて前記当接部が後方に変位するので、カッター刃は前記突部が穴内に位置した状態で常に前方に押された状態に維持され、これにより常に一定位置に静止した状態に保たれる。このように、当接部に対してカッター刃の後端縁が突き当たるような寸法設定としておくことで、カッター刃に寸法精度誤差があっても支障なく利用することができる。
また、保持面部の一部を切り欠いて当接部が形成できるので、従来タイプを僅かに形状変更するだけでよく、構成を複雑にしてしまうような不都合は生じない
【図面の簡単な説明】
【００１７】
【図１】本実施形態に係るカッターナイフの概略斜視図。
【図２】前記カッターナイフの分解斜視図。
【図３】ケースにガイド部材を収容した状態を示す平面図。
【図４】（Ａ）は図３の縦断面図。（Ｂ）は図４（Ａ）のＡ−Ａ線に沿う拡大断面図。
【図５】（Ａ）はガイド部材の平面図、（Ｂ）はガイド部材の中央断面図。
【図６】スライダにカッター刃を保持させた状態を示す概略斜視図。
【図７】（Ａ）はスライダ本体の正面図、（Ｂ）は同背面図、（Ｃ）は同平面図、（Ｄ）は同底面図。
【図８】（Ａ）は図７（Ａ）のＢ−Ｂ線断面図、（Ｂ）は同Ｃ−Ｃ線断面図、（Ｃ）は同Ｄ−Ｄ線断面図、（Ｄ）は同Ｅ−Ｅ線断面図。
【図９】（Ａ）は押さえ部材の正面図、（Ｂ）は同平面図、（Ｃ）は同底面図、（Ｄ）は同背面図、（Ｅ）は図９（Ｄ）のＦ−Ｆ線断面図。
【図１０】（Ａ）は操作部材の正面図、（Ｂ）は同背面図、（Ｃ）は同平面図。
【図１１】（Ａ）は操作部材の左側面図、（Ｂ）は図１０（Ｂ）のＧ−Ｇ線断面図、（Ｃ）は同Ｈ−Ｈ線拡大断面図。
【図１２】（Ａ）は板ばねの平面図、（Ｂ）は同正面図、（Ｃ）は図１２（Ｂ）のＩ−Ｉ線断面図、（Ｄ）は板ばねの背面図。
【図１３】スライダ本体にカッター刃を装着する作用説明図。
【図１４】押さえ部材でカッター刃を押さえ付けた状態を示す作用説明図。
【図１５】スライダ本体に板ばね部材を装着した状態を示す作用説明図。
【図１６】従来の不都合を説明するための要部概略分解斜視図。
【図１７】従来の不都合を説明するための要部正面図。
【発明を実施するための形態】
【００１８】
以下、本発明の実施形態を、図面を参照しながら詳細に説明する。なお、本明細書において、「前」とは、カッター刃の先端が位置する側について用いられる一方、「後」とは、その反対側について用いられる。
【００１９】
図１及び図２において、カッターナイフ１０は、前後方向に延びる内側空間Ｓ（図４（Ｂ）参照）を有するケース１２と、このケース１２内に収容されたガイド部材１３と、当該ガイド部材１３に沿って前後方向に移動可能に設けられてケース１２の前端から出没可能となるカッター刃１４と、このカッター刃１４を保持するとともに当該カッター刃１４と共にガイド部材１３に沿って移動可能に設けられたスライダ１５と、当該スライダ１５とケース１２との間に設けられるとともに、前記ケース１２側に係脱可能に設けられてスライダ１５のロック及びその解除を許容する板ばね１７とを備えて構成されている。
【００２０】
前記ケース１２は前後方向に延びて手の平に握ることのできる細長い形状とされている。このケース１２は、前後方向に延びる底壁２０と、当該底壁２０の短寸幅方向に連なる一対の側壁面２１と、これら側壁面２１の上部間に連なる頂壁２２とを含む。ケース１２の前端及び後端は開放形状とされ、前端にはキャップ２３が、後端には尾栓２５が着脱自在に取り付けられる。頂壁２２には、図３及び図４（Ｂ）に示されるように、一方の側壁面２１側に幾分シフトした位置に、前記内側空間Ｓに連なるスリット２７が後端から前端部手前位置まで形成されている。また、キャップ２３の前端面には、前記ガイド部材１３の先端部領域を突出させるための縦穴２８が形成されている。前記側壁面２１及びキャップ２３の側面間に跨る領域には、前後方向に延びる窓穴２９が形成されており、当該窓穴２９を通じて内部に位置するカッター刃１４の残存長さを視認できるようになっている。
【００２１】
図４に示されるように、前記底壁２０の後端部上面側は一段低い後部底壁２０Ａとされており、当該後部底壁２０Ａの領域内における前記側壁面２１の相対面には、前後方向に延びる溝部３０が形成され、当該溝部３０に前記尾栓２５に形成された突部３１が嵌合可能となっている。尾栓２５は、後端が湾曲した閉塞面となっており、上端面は、前記頂壁２２に形成されたスリット２７に連なるスリット３２が形成されている。
【００２２】
前記カッター刃１４は、先端及び後端が刃縁の延出方向に対して傾斜して平面視略平行四辺形の板状をなし、後部に円形穴１４Ａを備えた公知のカッター刃と同一の構造のものが用いられている。
【００２３】
前記ガイド部材１３は、図５に示されるように、前記ケース１２の底壁２０及び側壁面２１に略平行に相対するベース面３４、及び、当該ベース面３４の短寸幅方向両側に連なって略鉛直上方に向けられるとともに、前記カッター刃１４と略平行な面を形成する一対の側壁面３５とを含む。側壁面３５の前端側は、相互離間幅が次第に狭くなる傾斜面部３５Ａと、当該傾斜面部３５Ａの前端に連なってカッター刃１４の通過を鉛直面内で略直線上に案内する隙間に設定された平行面部３５Ｂとされ、当該平行面部３５Ｂが前記ケース１２の前壁２３に形成された縦穴２８を貫通して前方に突出するようになっている。
【００２４】
前記一対の側壁面３５における一方の側壁面３５の上端部には、前後方向に沿って定ピッチで配置された切欠部３７が形成され、更に前方位置には、後方上向きに突出する舌片部３８が連設されている。この舌片部３８は、ガイド部材１３をケース１２内の後端から挿入した際の挿入限を決定するようになっている。なお、側壁面３５の前部領域には、前後方向に延びて前記ケース１２の窓穴２９にオーバーラップする内側窓穴３９が形成されている。
【００２５】
前記スライダ１５は、前記カッター刃１４を着脱可能に保持するように構成されている。このスライダ１５は、図２に示されるように、カッター刃１４の後部に形成された円形穴１４Ａ内に収まる突部４１を備えたスライダ本体４２と、当該スライダ本体４２と相互に作用してカッター刃１４の後端部を挟み込むように設けられた押さえ部材４３と、前記スライダ本体４２に対して前後方向に相対移動可能に組み合わされる操作部材４４とを含む。
【００２６】
前記スライダ本体４２は、カッター刃１４の面と略平行に位置して前後方向に延びる平面視略板状をなす外形に設けられている。このスライダ本体４２は、図６ないし図８に示されるように、カッター刃１４の後端部における一方の面に沿って位置するとともに前記突部４１が一体に設けられた保持面部４６と、この保持面部４６の後部に連なって操作部材４４の取り付け領域を形成する取付部４７とからなる。保持面部４６と取付部４７との間における内面側には傾斜隆起部４６Ａが形成されており、この傾斜隆起部４６Ａの上部、すなわち、突部４１の中心を通る仮想水平線よりも上部に、カッター刃１４の後端縁に接するように設けられた当接部４５が設けられている。この当接部４５は、保持面部４６の一部を略コ字状に切除した切欠部４９を設けることによって構成され、当接部４５の上端部は、図７（Ａ）中手前側に突き出た頭部４５Ａを備えた形状に設けられている。この当接部４５は、頭部４５Ａ側が前後方向に変位可能な略板ばね状に設けられている。
【００２７】
スライダ本体４２において、図７（Ａ）中、前記突部４１の中心を通る仮想鉛直線から当接部４５の頭部４５Ａまでの距離Ｌ１は、カッター刃１４を配置したときの穴１４Ａの中心を通る仮想鉛直線から後端縁１４Ｂまでの距離Ｌ２（図６参照）よりも短くなるように設けられている。つまり、距離Ｌ２に関し、製造誤差であるばらつきがあることを見込んでおき、距離Ｌ２の範囲内に当接部４５が位置するように設けられ、これにより、カッター刃１４Ａを保持面部４６に保持させたときに、当接部４５が後方に弾性変位し、カッター刃１４Ａに対し、後方から前方に向かう当接力を常に付与し得るようになっている。
この際、カッター刃１４の後部上縁１４Ｃは上部水平部４６Ｂの下平面４６Ｂ１に常に押し当たり、カッター刃１４は安定して保持される。
なお、保持面部４６の上下両側には上部水平部４６Ｂ及び下部水平部４６Ｃ、及び上部水平部４６の後端に連なる後端４６Ｄが形成され、傾斜隆起部４６Ａより後方位置の上下水平部４６Ｂ、４６Ｃには前記押さえ部材４３を揺動自在に支持する軸受部４８が形成されている。
【００２８】
前記取付部４７は、保持面部４６の後部に連なる上面部４９及び下面部５０と、これら上面部４９及び下面部５０間の正面部５１とを含む。上面部４９には、その中央部の前後方向にばね装着部５２が上向きに突設されているとともに後端部に立ち上がり部５３が設けられている。この一方、正面部５０の面内には、前後方向二箇所に前後方向に向けられたスロット穴５５が設けられている。ばね装着部５２は、図７（Ａ）中手前側となる内側の面内中央部に凹陥部５６が形成されているとともに、当該凹陥部５６内に突起５８が形成され、また、凹陥部５６よりも右側（後方）位置には、前後方向に延びる爪片状の凸部５９が形成されている。正面部５１の図７（Ａ）中手前側面の下部には板厚を部分的に薄くする湾曲凹部５１Ａが形成されている。
【００２９】
前記押さえ部材４３は、図２及び図９に示されるように、前記保持面部４６及び取付部４７に跨って位置する本体面６３と、この本体面６３の図９（Ａ）中右側に細長く連なる押圧操作面６４とを含む。本体面６３の図９（Ａ）中左端側は、スライダ本体４２の突部４１の略半分を受け入れる切欠部６３Ｂが形成された押さえ面６３Ａとされ、本体面６３の中央部には、図９（Ｄ）に示されるように、スライダ本体４２に設けられた軸受部４８に嵌合する上下一対の突軸６５が設けられているとともに、その右側には、カッター刃１４の後端傾斜縁に対応する隆起傾斜部６６が形成されている。また、前記押圧操作面６４は、本体面６３の面に対して傾斜した方向に延びているとともに、先端（後端）に屈曲端部６４Ａを備えた形状とされている。屈曲端部６４Ａは、スライダ本体４２の取付部４７に当接し、押圧操作面６４は、取付部４７に設けられた湾曲凹部５１Ａに相対する位置で当該湾曲凹部５１Ａとの間に押圧代となる隙間を形成するようになっている。
前記押さえ部材４３は、押圧操作面６４の外面側を指先で押圧することにより、本体面６３が突軸６５の軸線を回転中心として揺動可能となっている。従って、本体面６３の前端側すなわち切欠部６３Ａが形成されている押さえ面６３Ａ側がスライダ本体４２の保持面部４６に対して離間接近する方向に変位することで、カッター刃１４の着脱が可能となる。
【００３０】
前記操作部材４４は、図１０及び図１１に示されるように、前記ケース１２の頂壁２２に沿って前後方向に延びる操作用平面７２と、この操作用平面７２の短寸幅方向一端側の上面に連設されるとともに、ケース１２のスリット２７を貫通する状態に位置する連結片７３と、当該連結片７３を介して略片持ち姿勢で連設された指当て部７４と、前記操作用平面７２の短寸幅方向他端側に連設されて前記スライダ本体４２の取付部４７に相対する相対面としての垂下面７６と、この垂下面７６の面内における前後二箇所に設けられるとともに、前記スライダ本体４２のスロット穴５５内に脱落不能に挿入される挿入片部７７とを含む。前記垂下面７６の後端は、図１０（Ｃ）に示されるように、操作用平面７２の後端よりも後方に位置する長さを有し、その後端に後端壁部７８が設けられている。また、挿入片部７７の前後方向長さは、スロット穴５５の長さよりも小さい長さとされており、これにより、操作部材４４がスライダ本体４２に対して前後方向に沿って相対移動可能に組み合わせ可能となっている。ここで、挿入片部７７の長さとスロット穴５５の長さとの差は、操作部材４４をスライダ本体４２に組み合わせて操作部材４４が初期位置に保たれたときの、当該操作部材４４の先端とスライダ本体４２の上部水平部４６Ｂに連なる後端４６Ｄとの間の距離に略等しくなっている。
前記垂下面７６において、前記挿入片部７７間の上方位置には、前後方向に延びるスロット部８０が形成され、当該スロット部８０にスライダ本体４２の突部５９が前後方向移動可能に嵌合可能となっている。また、このスロット部８０よりも後方位置には受容部としての穴８１が形成され、当該穴８１に、板ばね１７の後述する屈曲部が受容可能となっている。この穴８１は、図１１（Ｂ）に示されるように、内面側（同図中上面側）の開口幅が大きく外面側（同図中下面側）の開口幅が狭くなる状態で相対する一対の傾斜面８１Ａ、８１Ｂに設けられている。また、垂下面７６の前端部内面側には、前後方向に二箇所に設けられた前部突起８２Ａ及び後部突起８２Ｂが形成されている。
【００３１】
前記板ばね１７は、図２及び図１２に示されるように、前後方向に延びるばね本体８３と、このばね本体８３の前端側（図１２（Ａ）中左端側）に設けられた前部屈曲部８５と、後端側に設けられた位置規制部としての屈曲部８６と、ばね本体８３の中央部に設けられた折り曲げ片部８７とを含む。ばね本体８３は、スライダ本体４２に取り付けられたときに、略鉛直面内に位置するようになっている。このばね本体８３は、折り曲げ片部８７が設けられている位置よりも後方が、スライダ１５を組み立てたときに、操作部材４４の垂下面７６側に向けられる方向に屈曲するシフト領域７９とされている。
前部屈曲部８５は、折り曲げ長さの長い中央屈曲部８５Ａと、その前後両側に位置する一対の補強屈曲部８５Ｂとを含む。また、位置規制部として作用する屈曲部８６は、平面視で略Ｌ字状に折り曲げて形成され、屈曲部８６の中央部となる屈曲縁８６Ａが前記垂下面７６に形成された穴８１側に位置するように形成されている。ここにおいて、屈曲部８６と、前記穴８１とにより、操作部材４４の初期位置保持機構が構成される。
また、前記折り曲げ片部８７は、図１２（Ｃ）に示されるように、平面部８７Ａと、当該平面部８７Ａの先端から下方に向けられた側面部８７Ｂとからなり、側面部８７Ｂの面内には、角穴８７Ｃが形成されている。この折り曲げ片部８７は、スライダ本体４２におけるばね装着部５２の上面側を回り込むように配置され、前記角穴８７Ｃ内にスライダ本体４２の突起５８が嵌合可能となっている。
【００３２】
なお、本実施形態におけるカッターナイフ１０は、カッター刃１４Ａを保持する部位若しくは領域を除く他の構成部品が、既提案の特願２０１０−２１５３５７号と実質的に同様の構成となっている。
【００３３】
次に本実施形態におけるカッター刃の保持要領について説明する。ここで、カッターナイフ１０の組み立て方法と使用方法は、前記特願２０１０−２１５３５７号（先願）と同一であるので説明を省略する。
【００３４】
カッター刃１４を保持する場合には、図１３〜図１５からも理解できるように、スライダ本体４２に押さえ部材４３、板ばね１７及び操作部材４４を組み合わせてスライダ１５を完成させておき、この状態で、押さえ部材４３の押圧操作面６４を押圧して当該押さえ部材４３とスライダ本体４２との間にカッター刃１４を挟み込んで保持させることとなる。すなわち、押圧操作面６４を押圧することで保持面部４６に対して押さえ面６３Ａを離間させて隙間を形成し、その隙間にカッター刃１４の後部領域を差し込む。そして、カッター刃１４の穴１４Ａ内に突部４１を位置させる。このとき、カッター刃１４の後端縁１４Ｂが当接部４５に突き当たり、当該当接部４５を後方に弾性変位させ、これにより、カッター刃１４は後端縁１４Ｂから前向きの弾発力が付与された状態でスライダ本体４２と押さえ部材４３との間に挟持されることとなる。
【００３５】
スライダ１５にカッター刃１４を保持させた状態のユニットは、カッター刃１４の先端側を差し込み方向先端側として、前記ケース１２内に挿入される。この際、操作部材４４を片持ち姿勢で支持する連結片７３は、ケース本体１２のスリット２７を上下に貫通する状態で位置し、頂壁２２上に指当て部７４が位置することとなる。そして、ケース１２の後端部に尾栓２５を差し込んで嵌合させ、これにより、カッターナイフ１０の組み立てを完了することができる。
【００３６】
カッター刃１４をケース１２の前端から突出させる動作及びケース内に収める動作は先願と同一であるので省略する。
【００３７】
従って、このような実施形態によれば、カッター刃１４の後部側に寸法的な製造誤差があっても、カッター刃１４の後端縁１４Ｂに当接部４５が常に突き当たる結果、突部４１を中心としたカッター刃１４の回転移動が規制されるので、カッター刃１４をケース１２前端から突出させるべくスライダ１５を前方に移動させたときに、ケース前方の段差部分Ｋにカッター刃１４がぶつかってしまうような不都合は生じない。従って、例えば、ケース１２の上下を反転させてカッター刃１４を前端から突出させる作業に際しても、カッター刃１４をスムースに出すことが可能となる。
【００３８】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、材料、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材料などの限定の一部若しくは全部の限定を外した部材の名称での記載は、本発明に含まれるものである。
【符号の説明】
【００３９】
１０  カッターナイフ
１２  ケース
１４  カッター刃
１４Ａ  穴
１４Ｂ  後端縁
１４Ａ  穴
１４Ｂ  後端縁
１５  スライダ
４１  突部
４２  スライダ本体
４５  当接部
４６  保持面部
４９  切欠部
Ｓ  内側空間
【図１】
2012228330.tif 000003
【図２】
2012228330.tif 000004
【図３】
2012228330.tif 000005
【図４】
2012228330.tif 000006
【図５】
2012228330.tif 000007
【図６】
2012228330.tif 000008
【図７】
2012228330.tif 000009
【図８】
2012228330.tif 000010
【図９】
2012228330.tif 000011
【図１０】
2012228330.tif 000012
【図１１】
2012228330.tif 000013
【図１２】
2012228330.tif 000014
【図１３】
2012228330.tif 000015
【図１４】
2012228330.tif 000016
【図１５】
2012228330.tif 000017
【図１６】
2012228330.tif 000018
【図１７】
2012228330.tif 000019